(57)【要約】【課題】  発光ダイオードの装着を忘れ難くし、靴下の絵柄や刺繍や模様等に効果的に発光ダイオード（ＬＥＤ）を照射するとともに、雨等で濡れたり洗濯をしたとしても、発光ダイオード（ＬＥＤ）の制御回路が故障するようなことがないようにする。【解決手段】  靴下、ソックス、ストッキングや足用サポータ等の靴下類１に、所定のスイッチング動作により発光素子３ａが発光する発光ダイオード（ＬＥＤ）３が取り付けられている。発光ダイオード（ＬＥＤ）３は、歩行や運動のときの足に伝わる衝撃を感知する衝撃感知センサー３ｃと、これら衝撃感知センサー３ｃに連結される複数の発光素子３ａと、これらと連結される電源３ｄと、衝撃感知センサー３ｃからの信号によって前記複数の発光素子３ａを所定時間発光させる制御回路３ｂを備える【選択図】  図１
2011047073.tif 000002
【特許請求の範囲】
【請求項１】
靴下、ソックス、ストッキングや足用サポータ等の靴下類に、所定のスイッチング動作により発光素子が発光する発光ダイオード（ＬＥＤ）が取り付けられていることを特徴とする発光する靴下類。
【請求項２】
前記発光ダイオード（ＬＥＤ）は、衝撃を感知する衝撃感知センサー又は外部に凸状に突出したスイッチング素子と、これら衝撃感知センサー又は凸状スイッチング素子に連結される複数の発光素子と、これらと連結される電源と、衝撃感知センサー又は凸状スイッチング素子からの信号によって前記複数の発光素子を所定時間発光させる制御回路とを備えることを特徴とする請求項１記載の発光する靴下類。
【請求項３】
前記発光ダイオード（ＬＥＤ）は、透明又は光透過性の合成樹脂製又はゴム製のシート状収納具に封入され、このシート状収納具が前記靴下類に着脱されることを特徴とする請求項１又は２記載の発光する靴下類。
【請求項４】
前記発光ダイオード（ＬＥＤ）は、靴下類の絵柄や刺繍や模様が施された箇所に取り付けられていることを特徴とする請求項１又は２記載の発光する靴下類。
【請求項５】
前記シート状収納具に、靴下類の絵柄や刺繍や模様が施されていることを特徴とする請求項３記載の発光する靴下類。
【請求項６】
前記シート状収納具に、前記衝撃感知センサーと接触して衝撃を与える衝突用部材が封入されていることを特徴とする請求項３記載の発光する靴下類。
【請求項７】
前記凸状スイッチング素子の凸部が靴下の一部を折り返すと足に接触して、前記複数の発光素子を所定時間発光させることを特徴とする請求項３記載の発光する靴下類。
【発明の詳細な説明】
【技術分野】
【０００１】
本発明は、歩行や運動のときに発光する発光ダイオード（ＬＥＤ）が取り付けられている発光する靴下類に関する。
【背景技術】
【０００２】
従来、リストバンドやバンダナ（ヘッドバンド）では、蛍光塗料等の反射材を施すことで、夜間での使用の際に所定の光（例えば車のライト）により反射させて運動している人の確認や、夜間のスポーツをカラフルに演出したりするために使用されることがある。
【０００３】
他方、発光ダイオード（ＬＥＤ）は、その普及が進み、玩具やスポーツの分野でも使用されるような小型化が進み、消費電力も少なく出来るものが普及している。そして、衣類（シャツ類）に発光ダイオード（ＬＥＤ）取り付けるものや（特許文献１）、靴に発光ダイオード（ＬＥＤ）を取り付けるものが既に開示されている（特許文献２や３）。
【先行技術文献】
【特許文献】
【０００４】
【特許文献１】米国特許第７２７８７５８号公報
【特許文献２】特開２００４−１０３２６５号公報
【特許文献３】特開平１０−２３４４２３号公報
【発明の概要】
【発明が解決しようとする課題】
【０００５】
上記リストバンド等を装着すれば、夜間、ジョギングやウォーキング等の運動をする人や、高齢者や子どもが夜に外出するときに、車のライト等で反射して安全性を確保することが出来るが、上記反射材を使用しているために、所定の光がないと、その人の存在（位置）を確認できない問題を有する。また、高齢者や子供では、上記リストバンド等を装着することを嫌がったり、そもそも大人でもその装着を忘れるおそれがある。そして、上記リストバンド等では、その洗濯により反射材が落ちたりするが、そもそもその発光量が少なく、その対象（例えば上記リストバンド）に模様等が施されていたとしても、その模様等を光らせることまではできなかった。
この点、特許文献１のような衣類（シャツ類）に発光ダイオード（ＬＥＤ）を取り付けるものがあるが、シャツ類では、歩行や運動の衝撃が伝わり難いものである。また、特許文献２や３のような靴に発光ダイオード（ＬＥＤ）を取り付けるものがあるが、靴を使用しない場合にはそもそも効果がなく（例えば、夜間に空手や柔道のような練習をするときや、裸足で運動をするときには、光らせることが出来ない）、また、靴のデザインは限られており（絵柄や刺繍や模様は少ない。）、それらを照らしてファッション性を高めるような工夫ができないものである。
また、発光ダイオード（ＬＥＤ）は電子素子であるから、特許文献２や３のような靴に発光ダイオード（ＬＥＤ）をただ取り付けでも、雨や水溜りで濡れて、制御回路等が故障するおそれを有する。
【０００６】
そこで本発明の目的は、発光ダイオードの装着を忘れ難くし、靴下の絵柄や刺繍や模様等に効果的に発光ダイオード（ＬＥＤ）を照射するとともに、雨等で濡れたり洗濯をしたとしても、発光ダイオード（ＬＥＤ）の制御回路が故障するようなことがない発光する靴下類を提供することにある。
【課題を解決するための手段】
【０００７】
本発明の請求項１記載の発光する靴下類は、靴下、ソックス、ストッキングや足用サポータ等の靴下類に、所定のスイッチング動作により発光素子が発光する発光ダイオード（ＬＥＤ）が取り付けられていることを特徴とする。ここで、本願での「靴下類」とは、靴下、ソックス、ストッキングや足用サポータを含むものであり、足用サポータとしては、膝用サポータ、脹脛用サポータ、足首用サポータを含むものとする。
この発明によれば、靴下類に発光ダイオード（ＬＥＤ）が取り付けられているので、発光ダイオード（ＬＥＤ）を装着することを忘れ難くし（靴を履かないで歩行や運動をするときも点滅させることが出来る）、発光ダイオード（ＬＥＤ）を点滅させることが出来る。そして、靴下類の絵柄や刺繍や模様が施された箇所に取り付けられていることにより（請求項４と５）、これらを効果的に光らせて浮かび上がらせることができる。
【０００８】
本発明の請求項２記載の発光する靴下類は、前記発光ダイオード（ＬＥＤ）は、歩行や運動のときの足に伝わる衝撃を感知する衝撃感知センサー又は外部に凸状に突出したスイッチング素子と、これら衝撃感知センサー又は凸状スイッチング素子に連結される複数の発光素子と、これらと連結される電源と、衝撃感知センサー又は凸状スイッチング素子からの信号によって前記複数の発光素子を所定時間発光させる制御回路を備えることを特徴とする。
この発明によれば、衝撃感知センサーを備える場合は、歩行や運動のときの足に伝わる衝撃をトリガーとしてスイッチが入り発光素子が発光するので、そのスイッチ操作を意識せずにＬＥＤを発光させることができる。歩行や運動のとき、その衝撃（振動）は足がその衝撃を最も受ける箇所である。なお、靴下を装着しないときや、靴下を脱ぐと、スイッチは入らないので、電池の無駄な消費が抑制される。一方、凸状スイッチング素子を備える場合は、歩行や運動のときの必要なときに凸状スイッチング素子を押圧してスイッチを入れて発光素子を発光させる。凸状スイッチング素子を地面や靴と接触させて、発光ダイオード（ＬＥＤ）を点滅させることが出来る。
【０００９】
本発明の請求項３記載の発光する靴下類は、前記発光ダイオード（ＬＥＤ）は、透明又は光透過性の合成樹脂製又はゴム製のシート状収納具に封入され、このシート状収納具が前記靴下類に着脱されることを特徴とする。
この発明によれば、前記発光ダイオード（ＬＥＤ）は、合成樹脂製又はゴム製のシート状収納具に封入されるので、雨で濡れたり洗濯等が行なわれても、前記発光ダイオード（ＬＥＤ）の誤動作が防止される。シート状収納具は、透明又は光透過性であるから、靴下の絵柄、刺繍、模様や、シート状収納具に施された絵柄、刺繍、模様を照射して浮かび上がらせることができる。
【００１０】
本発明の請求項６記載の発光する靴下類は、前記シート状収納具に、前記衝撃感知センサーと接触して衝撃を与える衝突用部材が封入されていることを特徴とする。ここで、衝突用部材としては、自然石や玉形状や板形状の金属や、磁気作用のある金属（所定形状のチタン）等が含まれる。
この発明によれば、歩行の場合のような緩やかな振動しか得られないときでも、前記シート状収納具に衝突用部材が封入されているので、前記衝撃感知センサーが衝突用部材と衝突することで、発光ダイオード（ＬＥＤ）を発光させることができる。また、磁気作用のある金属（所定形状のチタン）等を使用することで、所定の指圧効果や遠赤外線効果等を発揮させることも可能できる。
【００１１】
本発明の請求項７記載の発光する靴下類は、前記凸状スイッチング素子の凸部が靴下の一部を折り返すと足に接触して、前記複数の発光素子を所定時間発光させることを特徴とする。
この発明によれば、歩行や運動するとき、靴下類の一部を折りたたむことで、発光ダイオード（ＬＥＤ）を発光させることができる。このとき、磁気作用のある金属（所定形状のチタン）等を使用することで、所定の指圧効果も生じさせることが出来る。なお、発光ダイオード（ＬＥＤ）の点滅を停止させるには、折り畳みを状態を元の状態に戻せば良い。
【発明の効果】
【００１２】
本発明の発光する靴下類によれば、所定の光がなくとも、歩行や運動のときの靴下が点滅するので、夜間歩行するときや運動するときの安全性を高めることできるとともに、靴下類の絵柄や刺繍や模様を照らしてその光をカラフルにすることでファッション性を高めることが出来る。特に、衝撃感知センサーを備える場合は、歩行や運動のときに、その衝撃（振動）は足がその衝撃を最も受ける箇所であることから、意識的にスイッチングを行なわなくても、一定期間点滅させることが出来る。
また、前記発光ダイオード（ＬＥＤ）は、光透過性の合成樹脂製又はゴム製のシート状収納具に封入されることで、雨に濡れたり洗濯等が行なわれても、前記発光ダイオード（ＬＥＤ）の誤動作が防止され、又、シート状収納具に衝突用部材が封入されることで、前記衝撃感知センサーに衝突を感知する材料に接触して、歩行のような衝撃が少ないときでも、一定期間発光ダイオード（ＬＥＤ）を発光させることが可能になる。
【図面の簡単な説明】
【００１３】
【図１】本発明の第１の実施の形態の発光する靴下類を示す正面図である。
【図２】上記第１の実施の形態の断面図である。
【図３】上記第１の実施の形態の発光ダイオード（ＬＥＤ）を示す平面図である。
【図４】本発明の第２の実施の形態の発光する靴下類を示す正面図である。
【図５】上記第２の実施の形態の断面図である。
【図６】本発明の第３の実施の形態の発光する靴下類を示す正面図である。
【図７】本発明の第４の実施の形態の発光する靴下類を示す正面図であり、（ａ）は靴下の一部を折り曲げる前の状態を示す図であり、（ｂ）靴下の一部を折り曲げた状態を示す図である。
【図８】本発明の各実施の形態の発光ダイオード（ＬＥＤ）とシート状収納具の他の例を示す側面図である。
【発明を実施するための最良の形態】
【００１４】
以下、本発明を適用した具体的な実施の形態について図面を参照しながら詳細に説明する。
【００１５】
（第１の実施の形態）
本実施の形態の発光する靴下類１は、靴下（ソックス）１に本発明を適用したものであり、図１から図３に示すように、シート状収納具２の中に発光ダイオード（ＬＥＤ）３が封入されている。靴下（ソックス）１には、装着したときに踝に近い位置になるように、靴下類の絵柄や刺繍や模様が施され、本実施の形態では、傘のマークの刺繍Ｍが施されている。
【００１６】
シート状収納具２は、透明又は光透過性のプラスチック製のものであり、靴下（ソックス）１に熱圧着により取り付けられたり、又、シート状収納具２の外周に取り付けられる面ファスナ等の接着手段４（靴下１とシート状収納具２との間を符号４は示している。）を介して取り付けられている。シート状収納具２は透明又は光透過性であることにより、発光ダイオード（ＬＥＤ）３の光が外部に向けて照射されるようになっている。また、シート状収納具２は、袋状に形成され、開口部が封止できるものである。
【００１７】
発光ダイオード（ＬＥＤ）３は、基盤（マウント部材）３ｋに、衝撃を感知する衝撃感知センサー３ｃと、衝撃感知センサー３ｃに連結される複数の発光素子３ａと、これらと連結される電源（電池）３ｄと、衝撃感知センサー３ｃからの信号によって前記複数の発光素子３ａを所定時間発光させる制御回路３ｄが組み込まれている（図３）。発光素子（発光体）３ａとしては、色の異なるものが数色あることが好ましく、衝撃により電源が入り、停止すると電源が切れる特殊スイッチがさらに組み込まれている。したがって、発光素子（発光体）３ａが点滅しても一定時間経過するとスイッチが切れ、発光が停止する。ここで、衝撃を感知する衝撃感知センサー３ｃの代わりに、外部に凸状に突出したスイッチング素子３ｅが配され、この凸状スイッチング素子３ｅの凸状部３ｅ１を押圧すると、スイッチが入るものを使用しても良い（図７（ａ）（ｂ））。
【００１８】
したがって、発光する靴下類１に発光ダイオード（ＬＥＤ）３を封入したシート状収納具２を貼り合わせることにより、靴下類（ソックス）１に取り付けができ、これを装着（履く）ことで発光ダイオード（ＬＥＤ）３を照射させることができ、例えば、夜間ウォーキングやジョギング等を行なうときに、ライトがなくても発光ダイオード（ＬＥＤ）３を点滅させることが出来る。特に、ウォーキングやジョギングは、その衝撃（振動）は足がその衝撃を最も受ける箇所であることから、衝撃感知センサーがこれを敏感に検知して、複数の発光素子３ａを点滅させることに有意義である。上記靴下１さえ履いていれば良いので、靴を履かないで歩行したり運動するときにも発光ダイオード（ＬＥＤ）３を点滅させることが出来る。
また、本実施の形態では、シート状収納具２の表面に傘のマークの刺繍Ｍが施されている。したがって、傘のマークの刺繍Ｍを複数の発光素子３ａにより発光させる（浮かび上がらせる）ことができる。
【００１９】
（第２の実施の形態）
本実施の形態の発光する靴下類は、図４と図５に示すように、靴下２１を装着したときに踝に近い位置で、靴下類２１の絵柄や刺繍や模様Ｍが施されている（傘のマーク）。そして、その内側に靴下類にポケット１Ｐを設けて、このポケット１Ｐの中に発光ダイオード（ＬＥＤ）３が収納されている。なお、発光ダイオード（ＬＥＤ）３が靴下類２１の内側にそのまま（裸で）靴下類１の取り付けられていても良い（例えば縫合されていても良い。）。
【００２０】
したがって、上記構成の靴下類（ソックス）２１を装着（履く）ことで、夜間ウォーキングやジョギング等を行なうときに、ライトがなくても発光ダイオード（ＬＥＤ）３を点滅させることが出来る。
【００２１】
（第３の実施の形態）
本実施の形態の発光する靴下類３１は、足用（足首用）サポータに本発明を適用したものであり、図６に示すように、第１の実施の形態のようにシート状収納具２の中に発光ダイオード（ＬＥＤ）３が封入されている。すなわち、シート状収納具２の外側に靴下類の絵柄や刺繍や模様（足首用サポータ３１にブランドを表示するマークや文字）Ｍが施されている。なお、第２の実施の形態のようにサポータに絵柄や刺繍や模様Ｍが施され、足首用サポータ３１の内側に発光ダイオード（ＬＥＤ）３が縫合されている場合や、発光ダイオード（ＬＥＤ）３が封入された上記シート状収納具２が貼り合わせられていても良い。
【００２２】
本実施の形態によれば、空手や柔道等の運動をするときでも、つまり靴を装着しなくても、その運動による足に伝わる振動で、発光ダイオード（ＬＥＤ）３を点滅させることが出来る。
なお、上記各実施の形態において、凸状スイッチング素子を備える場合は、歩行や運動のときの必要なときに凸状スイッチング素子３ｅを押圧してスイッチを入れて、発光素子３ａを発光させる。
【００２３】
（第４の実施の形態）
本実施の形態の発光する靴下類は、足（足首用）にサポータ４１に本発明を適用したものであり、図７（ａ）（ｂ）に示すように、外部に凸状に突出したスイッチング素子３ｅが配され、この凸状スイッチング素子３ｅの凸状部３ｅ１を押圧すると、スイッチが入る構造である。なお、上記刺繍等の模様Ｍの位置は、図７（ａ）では表側であってもよく（符号Ｍ参照）、図７（ｂ）では裏側であってもよい（符号Ｍ参照）。
【００２４】
上記スイッチング素子３ｅは、凸状部３ｅ１が上下動することで、スイッチのオンとオフが行なわれる。したがって、図７（ｂ）のように折り返すと、凸状部３ｅ１が足に接触して押圧されて、スイッチング動作する。これを解除するためには、図７（ａ）のように折り返しを元に戻すことでスイッチがオフ状態になる。そして、凸状部３ｅ１が足に接触して押圧されるために、所定の指圧効果を発揮させることができる。
【００２５】
ここで、上記所定の指圧効果をより発揮させるためには、図８に示すように、基盤５ｋに発光素子３ａや制御回路３ｂがマウントされているが、上記シート状収納具２や、或いは、靴下類４１（１）にもランプ状の発光素子３ａを外部に突出させるようにして取り付けても良い。このような構成で、複数の発光素子３ａを所定間隔で配することにより、上記所定の指圧効果をより一層高めることができる。
【００２６】
以上、上記各実施の形態では、靴下（ソックス）、足用サポータ（足首用サポータ）を例に説明したが、ストッキングにも適用可能である。
【符号の説明】
【００２７】
１，２１，３１，４１  発光する靴下類、
２                    シート状収納具、
３                    発光ダイオード（ＬＥＤ），
３ａ                  発光素子（発光体），３ｂ  制御回路、
３ｃ                  衝撃感知センサー、３ｄ  電源、
３ｋ                  基盤（マウント部材）、
３ｅ                  凸状スイッチング素子、凸状部３ｅ１、
Ｍ                    刺繍（模様）、
【図１】
2011047073.tif 000003
【図２】
2011047073.tif 000004
【図３】
2011047073.tif 000005
【図４】
2011047073.tif 000006
【図５】
2011047073.tif 000007
【図６】
2011047073.tif 000008
【図７】
2011047073.tif 000009
【図８】
2011047073.tif 000010